(57)【要約】      （修正有）【課題】トーストするために機械に入れたスライスが焦げるのを防止し、トースト後に機械から放出される結果として機械からパンのスライスを取り出し、装置を完全にきれいにし、周囲の環境が汚れるのを防ぐトースタを提供する。【解決手段】焼かれるパンのスライスは、トースタ本体１からスライド・プレート４に配置され、スライド・プレートは、トースタ本体のチャネル５に適合することによってトースタ本体１にスライドされる。パンが焼かれた後スライド・プレート４は、それをスライドさせることによってトースタ本体１から取り出される。【選択図】図６
0003154813.tif 000002
【実用新案登録請求の範囲】
【請求項１】
トースタ本体（１）と、等級分けされた温度システム（２）と、コントロールパネル（３）と、摺動プレート（４）と、チャネル（５）と、金属製ベース・プレート（６）と、および、グリル（７）とから構成されることにおいて特徴付けられる、スライド・トースタ。
【請求項２】
前記トースタ本体（１）は、焼かれるパンが該トースタ本体（１）から前記スライド・プレート（４）上に置かれた後、該スライド・プレート（４）をスライドさせ、取り除くチャネル（５）を有することにおいて特徴付けられる、請求項１のスライド・トースタ。
【請求項３】
前記トースタ本体（１）は、等級分けされた温度システム（２）とコントロールパネル（３）とを有することにおいて特徴付けられる、請求項１のスライド・トースタ。
【請求項４】
前記トースタ本体（１）は、金属製ベース・プレート（６）と、該金属製ベース・プレート上にグリル（７）とを有することにおいて特徴付けられる、請求項１のスライド・トースタ。
【考案の詳細な説明】
【技術分野】
【０００１】
ａ）本発明が関する発明の技術分野、および、一般的な技術水準：
本発明は、パンを焼くために使われるが機構、組成および使用法に関して現行のトースタとは全く異なる。
【背景技術】
【０００２】
周知のトースタ；閉じた本体のトースタの穴にパンのスライスを入れることにより動作し、これらの穴が上に動いた時、トーストされたスライスを機械から取り出す。
【考案の概要】
【０００３】
ｂ）本発明が解決する技術的な課題：
本発明において、トーストするために機械に入れたスライスが焦げるのを防止し、トースト後に機械から放出される結果として機械からパンのスライスを取り出し、装置を完全にきれいにし、周囲の環境が汚れるのを防ぐことを目的とする。
【図面の簡単な説明】
【０００４】
ｃ）形状の説明：
【図１】本発明による本体を示す。
【図２】本発明によるスライド・プレートを示す。
【図３】本発明による金属製ベース・プレート、および、グリルを示す。
【図４】本発明によるスライド・プレート（側面図）を示す。
【図５】本発明によるスライド・プレート（パンのスライスがプレートに入っている）を示す。
【図６】本発明による本体にスライドされるスライド・プレートを示す。
【図７】本発明による本体上のコントロールパネルを示す。
【図８】本発明によるパンのスライスを入れたスライド・プレートが入れられる状態を示す。
【考案を実施するための形態】
【０００５】
ｄ）発明の説明：
本発明は、トースタ本体（１）、等級分けされた温度システム（２）、コントロールパネル（３）、スライド・プレート（４）、チャネル（５）、金属製ベース・プレート（６）、および、グリル（７）で構成される。
【０００６】
トースタ本体（１）は、所望のレベルでパンのスライスを焼くことができる異なるトースト温度でパンを焼く等級分けされた温度システム（２）を有する。
【０００７】
また、温度の等級、温度調整、スタートボタン、残り時間、使用されるサーモ装置、等級分けされた温度システム（２）に命じる程度を示すスクリーンを有するコントロールパネル（３）は、トースタ本体（１）の外側にある。
【０００８】
互いに面している二つのチャネル（５）は、本体にスライド・プレート（４）がスライドできるようにトースタ本体（１）にある。
【０００９】
スライド・プレート（４）は、チャネル（５）に適合することによって容易にトースタ本体（１）にスライドされ、再び取り出すことができるように設計される。
【００１０】
金属製ベース・プレート（６）はスライド・プレート（４）の上に適合し、スライド・プレート（４）に落ちるパンくずのためのグリル（７）を有する。
【００１１】
ｅ）本発明の応用方法：
焼かれるパンのスライスは、トースタ本体（１）からスライド・プレート（４）に配置され、スライド・プレートは、トースタ本体のチャネル（５）に適合することによってトースタ本体（１）にスライドされる。
【００１２】
コントロールパネル（３）から異なるトーストレベルでパンを焼くことに適している加熱器の等級分けされた温度調整は所望の方法で作られ、等級分けされた温度システム（２）が作動される。使用されたサーモ装置、程度、および、残り時間が、スクリーンに続いて表示される。
【００１３】
パンが焼かれた後；スライド・プレート（４）は、通常のトースタから焼かれたパンを取り出す際の手のやけど、および、排出機構に起因する問題がなく、それをスライドさせることによってトースタ本体（１）から取り出される。
【００１４】
トースト手順後に周囲の環境に残りのパンの片は存在しない。不必要な機械の付属品、標準のトースタでは汚れてしまうパネルおよびワイヤ面がないので、掃除はきわめて容易になされ、所望の衛生は確実に保たれる。グリル（７）から下のプレートに落ちるパンくずは、金属製ベース・プレート（６）に落ちる。金属製ベース・プレート（６）は取り除かれ、底部上のパンくずは掃除される。
【００１５】
このように：現行のトースタのような、手または他のいかなるものの干渉も存在せず、トースタ本体（１）の外で、焼かれるパンおよび焼かれたパンはスライド・プレート（４）に置かれてそこから取り出されるので、本体にパンが詰まることは問題外である。この状況は、機械の掃除において重要な役割を果たし、事故の防止および現行の機械において直面する問題点に加えて、衛生を確実にする。
【符号の説明】
【００１６】
１．トースタ本体
２．等級分けされた温度システム
３．コントロールパネル
４．スライド・プレート
５．チャネル
６．金属製ベース・プレート
７．グリル
【図１】
0003154813.tif 000003
【図２】
0003154813.tif 000004
【図３】
0003154813.tif 000005
【図４】
0003154813.tif 000006
【図５】
0003154813.tif 000007
【図６】
0003154813.tif 000008
【図７】
0003154813.tif 000009
【図８】
0003154813.tif 000010
【手続補正書】
【提出日】平成21年8月19日(2009.8.19)
【手続補正１】
【補正対象書類名】実用新案登録請求の範囲
【補正対象項目名】全文
【補正方法】変更
【補正の内容】
【実用新案登録請求の範囲】
【請求項１】
トースタ本体（１）と、パンのスライスを所望のレベルで焼くことができる、異なるトースト温度でパンを焼く等級分けされた温度システム（２）と、温度の等級、温度調節、スタートボタン、残り時間、使用されるサーモ装置、及び温度、を示すスクリーンを有する、等級分けされた温度システム（2）に指令を出す、トースタ本体（１）の外側にある、コントロールパネル（３）と、チャネル（５）に適合することによって、容易にトースタ本体（１）にスライドされ、再び取り出すことができるように設計された、スライド・プレート（４）と、前記本体内でスライド・プレート（４）がスライドできるように、トースタ本体（１）内で互いに面している、チャネル（５）と、スライド・プレート（４）上部に適合し、スライド・プレート（４）上に落ちるパンくずのためのグリル（７）を有する、金属製ベース・プレート（６）と、から構成されることにおいて特徴付けられる、スライド・トースタ。
【請求項２】
前記トースタ本体（１）は、焼かれるパンが該トースタ本体（１）の外で前記スライド・プレート（４）上に置かれた後、該スライド・プレート（４）をスライドさせ、取り除くチャネル（５）を有することにおいて特徴付けられる、請求項１のスライド・トースタ。
【請求項３】
前記トースタ本体（１）は、等級分けされた温度システム（２）と、コントロールパネル（３）と、を有することにおいて特徴付けられる、請求項１のスライド・トースタ。
【請求項４】
前記トースタ本体（１）は、金属製ベース・プレート（６）と、該金属製ベース・プレート上にグリル（７）と、を有することにおいて特徴付けられる、請求項１のスライド・トースタ。